(57)【要約】【課題】彩度が高く、かつ室内放置及び光による変退色が生じにくい画像が形成可能なインクセットの提供。【解決手段】下記一般式（Ｉ）で示される染料と水性液媒体とを含んでいる青色インクと、アゾ染料と水性液媒体とを含んでいる赤色インクと、を具備していることを特徴とするインクセット：【外１】2004123912.tif 000023式（Ｉ）中ＣｕＰｃは、銅フタロシアニン残基を表し、Ｍはアルカリ金属又はアンモニウムであり、ｘは１、２または３であり、ｙは０、１、２または３である。但しｘ＋ｙ≦２のものを含まないか、或いは実質的に含まない）。【選択図】　　　なし【特許請求の範囲】
【請求項１】
下記一般式（Ｉ）で示される染料と水性液媒体とを含んでいる青色インクと、アゾ染料と水性液媒体とを含んでいる赤色インクと、を具備していることを特徴とするインクセット：
【外１】
2004123912.tif 000019
式（Ｉ）中ＣｕＰｃは、銅フタロシアニン残基を表し、Ｍはアルカリ金属又はアンモニウムであり、ｘは１、２または３であり、ｙは０、１、２または３である。但しｘ＋ｙ≦２のものを含まないか、或いは実質的に含まない）。
【請求項２】
前記アゾ染料として、下記一般式（ＩＩ）、（ＩＩＩ）、
一般式（ＩＩ）
【外２】
2004123912.tif 000020
（上記一般式（ＩＩ）中、Ａｒ１は置換もしくは未置換のフェニル基、または置換もしくは未置換のナフチル基を表し、Ａｒ２は、置換若しくは未置換のアセチル基、置換若しくは未置換のベンゾイル基、置換若しくは未置換の１，３，５−トリアジニル基、ＳＯ２−Ｃ６Ｈ５基又はＳＯ２−Ｃ６Ｈ４−ＣＨ３基のいずれかを表す。Ｍは、スルホン酸基の対イオンであり、水素原子、アルカリ金属、アンモニウムおよび有機アンモニウムのいずれかを表す）、
一般式（ＩＩＩ）
【外３】
2004123912.tif 000021
（上記一般式（ＩＩＩ）中、Ａｒ３及びＡｒ４は、各々独立に、置換もしくは未置換のフェニル基、または置換もしくは未置換のナフチル基を表し、Ａｒ３及びＡｒ４の少なくとも１つはカルボキシル基若しくはその塩、或いはスルホン酸基若しくはその塩の置換基を表し、Ｍは、スルホン酸基の対イオンであり、水素原子、アルカリ金属、アンモニウム及び有機アンモニウムのいずれかを表す。Ｒ５は、置換若しくは未置換の１，３，５−トリアジン、又は置換若しくは未置換の１，３，５−トリアジン誘導体を表し、Ｒ６及びＲ７は、独立に、水素原子、置換若しくは未置換のアルキル基、置換若しくは未置換のアルケニル基、置換若しくは未置換のアラルキル基、又はＮと共に置換若しくは未置換のペルヒドロキシアジン環を形成するに必要な原子群を表し、Ｌは、２価の有機連結基を表す）、
Ｃ．Ｉ．リアクティブレッド２３、Ｃ．Ｉ．リアクティブレッド１８０、Ｃ．Ｉ．ダイレクトレッド２５２、Ｃ．Ｉ．ダイレクトレッド２５４、Ｃ．Ｉ．ダイレクトレッド２３、及びＣ．Ｉ．ダイレクトレッド８１から選択される少なくとも１種を含む請求項１に記載のインクセット
【請求項３】
該青色インクが、前記一般式（Ｉ）で示され、ｘ＝２かつｙ＝２である染料を含んでいる請求項１又は２に記載のインクセット。
【請求項４】
該青色インクが、前記一般式（Ｉ）で示され、ｘ＝３、かつｙ＝１である染料を含んでいる請求項１又は２に記載のインクセット。
【請求項５】
前記青色インクが、前記一般式（Ｉ）で示され、ｘ＝１かつｙ＝３である染料と、前記一般式（Ｉ）で示され、ｘ＝２かつｙ＝２である染料と、前記一般式（Ｉ）で示され、ｘ＝３かつｙ＝１である染料とを含んでいる請求項１〜４の何れかに記載のインクセット。
【請求項６】
前記青色インクが、水性液媒体として２‐ピロリドンを含んでいる請求項１〜５の何れかに記載のインクセット。
【請求項７】
前記青色インクが、水性液媒体としてグリセリンを含んでいる請求項１〜６の何れかに記載のインクセット。
【請求項８】
前記青色インクが、水性液媒体としてエチレングリコールを含んでいる請求項１〜７の何れかに記載のインクセット。
【請求項９】
前記青色インクが、水性液媒体としてトリエタノールアミンを含んでいる請求項１〜８の何れかに記載のインクセット。
【請求項１０】
前記青色インク及び赤色インクの各々がインクジェット用である請求項１〜９の何れかに記載のインクセット。
【請求項１１】
青色インクの滴と赤色インクの滴とを用いてて被記録材上に２次色の画像を形成するインクジェット記録方法において、該青色インクとして請求項１０に記載のインクセットを構成している青色インクを用い、該赤色インクとして請求項１０に記載のインクセットを構成している赤色インクを用いることを特徴とするインクジェット記録方法。
【請求項１２】
該被記録材が、支持体上にインク受容層を備えているものである請求項１１に記載のインクジェット記録方法。
【請求項１３】
該インク受容層が、アルミナ水和物を含有している請求項１２に記載のインクジェット記録方法。
【請求項１４】
該アルミナ水和物が、下記式（ＩＶ）で示されるものである請求項１３に記載のインクジェット記録方法。
【外４】
2004123912.tif 000022
【請求項１５】
該インク受容層と該支持体との間に、多孔性の層を具備している請求項１４に記載のインクジェット記録方法。
【請求項１６】
該多孔性の層が、バライタ層である請求項１５に記載のインクジェット記録方法。
【発明の詳細な説明】
【０００１】
【発明の属する技術分野】
本発明はインクセット、とりわけインクジェット記録用インクセット及びそれを用いたインクジェット記録方法に関し、さらに詳しくは特に室内での変退色及び耐光性が改良された画像を与えるインクセット及びそれを用いたインクジェット記録方法に関する。
【０００２】
【従来の技術】
インクジェット記録により得られる画像が高精細になり、いまや高画質の代名詞である銀塩写真の画質に匹敵するようになってきている。そしてこのような高精細な画像を長期にわたり劣化させずに保存できるかどうかが、次なる使用者の大きな関心事である。画像の長期保存の観点からは、従来は主として光による退色が問題視され、その解決は、耐光性に優れた染料の選択によって図られてきている。たとえば、青色インクの染料としては、主にＣ．Ｉ．ダイレクトブルー１９９やＣ．Ｉ．ダイレクトブルー８６が使用されてきた。しかしながら、インクジェット記録物が、「写真」と同じように取り扱われるようになり、室内環境に展示する機会が多くなると、上記したような耐光性に優れた染料を使用しているにもかかわらず、短期間で変色してしまう場合があった。これらの室内での変退色は、大気中のオゾン、窒素酸化物、硫黄酸化物といった環境ガスによるものであり、光がほとんど当たらない場所でも進行し、特に無機顔料をコート層に用いたコート紙では、比較的短い期間で発生することがある。従来用いられていたＣ．Ｉ．ダイレクトブルー１９９やＣ．Ｉ．ダイレクトブルー８６といった、銅フタロシアニンにスルホン基やスルホンアミド基を導入して水溶性を付与した染料では、この問題を十分には解決できていなかった。また、青色インクの染料としてこれらフタロシアニン染料を使用し、赤色インクの染料として印字濃度、再度に優れたアゾ染料を使用した場合、この２色を混色して作られる二次色部分においては、それぞれのインクによって形成される単色部分と比較しても耐光性の劣化が進みやすいという課題がある。この現象はフタロシアニン染料による触媒退色ともいわれ、青色インクの染料としてフタロシアニン染料を使用する以上避けられないものと考えられていた。
【０００３】
これら課題に対し室内での変退色を改良するために、銅フタロシアニン骨格にダイレクトブルー１９９等とは異なる置換基を導入することによって耐ガス性を向上させようとする技術や、別な骨格を有する染料と併用することで、耐ガス性を向上させようとする技術などが出願されている。銅フタロシアニン骨格に結合する置換基に着目した例として、特開平３−１８５０８０の特定構造の銅フタロシアニン染料を用いたインクがある。特開平３−１８５０８０は、トリアジン環を含む、かさ高い置換基を有する銅フタロシアニン染料を用いることを解決法としてあげている。しかし、この染料は分子量が高く、高い記録濃度を出そうとした場合、非常に高い染料濃度が必要となる。またインクジェット記録におけるシアンとしての色相も不十分だった。
【０００４】
別な骨格を有する染料を混合する例としては、特開２００１−３２９１９５において、銅フタロシアニン染料と特定の骨格を有する染料を併用することが開示されている。しかし、この場合も高発色と高堅牢とが両立しているわけではなく、それぞれの染料の長所が平均化されてしまっている。
【０００５】
【特許文献１】
特開平３−１８５０８０号公報
【特許文献２】
特開２００１−３２９１９５号公報
【０００６】
【発明が解決しようとする課題】
そこで、本発明の目的は、彩度が高く、かつ変退色が生じにくい画像が得られる青インクと赤インクとのセットを提供することにある。
【０００７】
また、赤色インクの染料としてアゾ染料を使用した場合にも、青色インクと赤色インクの混色部における耐光性が良好なインクセットを提供することにある。
【０００８】
さらに、無機顔料をコート層に用いたコート紙に記録されたときに変色が少ない記録方法を提供する事である。
【０００９】
【課題を解決するための手段】
上記目的は以下の本発明によって達成される。
【００１０】
すなわち、本発明によれば、下記一般式（Ｉ）で示される染料と水性液媒体とを含んでいる青色インクと、アゾ染料と水性液媒体とを含んでいる赤色インクと、を具備していることを特徴とするインクセットが提供される：
【外５】
2004123912.tif 000002
【００１１】
式（Ｉ）中ＣｕＰｃは、銅フタロシアニン残基を表し、Ｍはアルカリ金属又はアンモニウムであり、ｘは１、２または３であり、ｙは０、１、２または３であり、但しｘ＋ｙ≦２のものを含まないか、或いは実質的に含まない。
【００１２】
また本発明によれば、青色インクの滴と赤色インクの滴とを用いてて被記録材上に２次色の画像を形成するインクジェット記録方法において、該青色インクとして、上記一般式（Ｉ）で示される染料と水性液媒体とを含んでいるインクジェット用の青色インクを用い、該赤色インクとしてアゾ染料と水性液媒体を含んでいるインクジェット用の赤色インクを用いることを特徴とするインクジェット記録方法が提供される。
【００１３】
そして上記したような本願各発明によれば、青色インクの染料として上記染料を用いることによって、室内での変退色が少なく、さらに、赤色インクの染料としてアゾ染料を用いた場合にも混色部分での耐光性が良好な印字物が得られるものである。
【００１４】
本発明における一般式（Ｉ）で表される染料は、銅フタロシアニンにスルホン酸とスルホンアミドが結合しているという点で、ダイレクトブルー１９９と呼ばれる染料と非常に近い構造になっている。
【００１５】
本発明者らは、銅フタロシアニンにおける置換基の種類とその数に着目した。その結果、フタロシアニン中の２置換体が、アゾ系のマゼンタ染料の触媒褪色に深く関与しているらしいこと、そして２置換体を実質的に含まないようなフタロシアニン染料を用いること、言い換えれば、３置換体、或いは３置換体と４置換体とからなるフタロシアニン染料を用いることで、アゾ染料との混色部の褪色を有効に緩和できることを見出した。なお、本発明において、ｘ＋ｙ≦２のフタロシアニンを含まないとは、青色インク中のフタロシアニン染料の、測定波長２５４ｎｍでの高速液体クロマトグラフィー分析において、ｘ＋ｙ≦２のフタロシアニン染料の存在を示すピークが観察されないことを意味する。
【００１６】
【発明の実施の形態】
以下に好ましい実施の形態を挙げて、本発明を更に詳細に説明する。
【００１７】
・青インクについて；
本発明に係る青インクは、下記一般式（Ｉ）で示されるフタロシアニン染料を含んでいる。
【００１８】
【外６】
2004123912.tif 000003
【００１９】
上記式（Ｉ）中、ＣｕＰｃは、銅フタロシアニン残基を表している。またＭはアルカリ金属（例えばＬｉ、Ｎａ、Ｋ、Ｒｂ、Ｃｓ、Ｆｒなど）又はアンモニウムである。また、ｘは１、２、３または４であり、ｙは０、１、２または３である。そしてｘ＋ｙ≦２のものを含まないか、或いは実質的に含まない。
【００２０】
即ち、本発明に係るインクが含んでいるフタロシアニン染料として、具体的には下記の構造を有する染料の何れか、若しくはそれらの混合物を含み、ｘ＋ｙ≦２の構造のものは含んでいないか、或いは実質的に含んでいない。これにより、本発明に係るインクによる画像は、優れた耐ガス性を示し、耐水性に優れ、ブロンズ現象を生じないことになる。
【００２１】
2004123912.tif 000004
【００２２】
さらに、一般式（Ｉ）の化合物は、ｘ＋ｙ＝３の成分よりｘ＋ｙ＝４の成分をより多く含有する場合、耐ガス性の上で、特に良好になる。
【００２３】
その比率は、一般式（Ｉ）の化合物を波長２５４ｎｍにおいて高速液体クロマトグラフィーによって分析したとき、ｘ＋ｙ＝４の成分比Ａとｘ＋ｙ＝３の成分比Ｂとしたとき、Ａ／Ｂが１以上であることが好ましい。さらに１．５以上であれば、非常に優れた耐ガス性を示す。
【００２４】
・マゼンタインク；
本発明に係るマゼンタインク中の染料としては、アゾ染料であればいずれの染料を用いても良いが、好ましくは下記一般式（ＩＩ）、（ＩＩＩ）で示されるものが用いられる：
【００２５】
一般式（ＩＩ）
【外７】
2004123912.tif 000005
【００２６】
上記一般式（ＩＩ）中、Ａｒ１は置換もしくは未置換のフェニル基、または置換もしくは未置換のナフチル基を表し、Ａｒ２は、置換若しくは未置換のアセチル基、置換若しくは未置換のベンゾイル基、置換若しくは未置換の１，３，５−トリアジニル基、ＳＯ２−Ｃ６Ｈ５基又はＳＯ２−Ｃ６Ｈ４−ＣＨ３基のいずれかを表す。Ｍは、スルホン酸基の対イオンであり、水素原子、アルカリ金属（例えば、Ｌｉ、Ｎａ等）アンモニウム（ＮＨ４）および有機アンモニウム（Ｎ（（Ｒ８）４）のいずれかを表す。ここで、Ｒ８としては、例えばメチル基やエチル基が挙げられる。
【００２７】
さらに、上記Ａｒ１のフェニル基やナフチル基は、例えば、カルボキシル基もしくはその塩、スルホン酸基もしくはその塩、炭素数１〜４の直鎖状もしくは分岐鎖状のアルキル基、ハロゲン原子（フッ素、塩素、臭素など）、炭素数１〜４のアルコキシ基、フェノキシ基などのアリールオキシ基等から選ばれる１つまたは２つ以上の基や原子で置換されていてもよい。また上記Ａｒ２が、ベンゾイル基もしくは１，３，５−トリアジニル基である場合には、ベンゼン環もしくは１，３，５−トリアジン環中の少なくとも１つの水素原子が、カルボキシル基やその塩、ハロゲン原子（フッ素、塩素、臭素など）、１〜３級アミノ基、アルコキシ基、水酸基などで置換されていてもよい。
【００２８】
一般式（ＩＩＩ）
【外８】
2004123912.tif 000006
【００２９】
上記一般式（ＩＩＩ）中、Ａｒ３及びＡｒ４は、各々独立に、置換もしくは未置換のフェニル基、または置換もしくは未置換のナフチル基を表す。フェニル基やナフチル基の置換基としては、例えば、炭素数１〜４の直鎖状もしくは分岐鎖状のアルキル基、炭素数１〜４の直鎖状もしくは分岐鎖状のアルコキシル基、ヒドロキシル基、カルボキシル基もしくはその塩、スルホン酸基もしくはその塩、ハロゲン原子（フッ素、塩素、臭素など）等が挙げられ、Ａｒ３及びＡｒ４の少なくとも１つはカルボキシル基若しくはその塩、或いはスルホン酸基若しくはその塩の置換基を有す。
【００３０】
Ｍは、スルホン酸基の対イオンであり、水素原子、アルカリ金属（例えば、Ｌｉ、Ｎａ等）アンモニウム（ＮＨ４）および有機アンモニウム（Ｎ（（Ｒ８）４）のいずれかを表す。ここで、Ｒ８としては、例えばメチル基やエチル基が挙げられる。
【００３１】
Ｒ５は、１，３，５−トリアジン、又は１，３，５−トリアジン誘導体を表す。Ｒ６及びＲ７は、独立に、水素原子、置換もしくは未置換のアルキル基、置換もしくは未置換のアルケニル基置換もしくは未置換のアラルキル基又はＮと共にペルヒドロキシアジン環を形成するに必要な原子群を表し、Ｌは、２価の有機連結基を表す。Ｒ６及びＲ７について、より具体的には、例えば、炭素数１〜６の直鎖上もしくは分岐鎖状のアルキル基や炭素数１〜４の直鎖上もしくは分岐鎖状のアルケニル基やベンジル基等があげられる。ここで、アルキル基、アルケニル基およびベンジル基の置換基としては、ヒドロキシル基、カルボキシル基もしくはその塩、スルホン酸基もしくはその塩等が挙げられる。
【００３２】
上記一般式（ＩＩ）の化合物の色材としては、例えばＣ．Ｉ．Ｒｅａｃｔｉｖｅ　Ｒｅｄ　１８０や以下の構造を有するもの、更には特開平８−７３７９１号公報、特開平１１−２０９６７３号公報などに記載されている構造の化合物が挙げられる。
【００３３】
【外９】
2004123912.tif 000007
【００３４】
【外１０】
2004123912.tif 000008
【００３５】
【外１１】
2004123912.tif 000009
【００３６】
【外１２】
2004123912.tif 000010
【００３７】
【外１３】
2004123912.tif 000011
【００３８】
【外１４】
2004123912.tif 000012
【００３９】
【外１５】
2004123912.tif 000013
【００４０】
【外１６】
2004123912.tif 000014
【００４１】
これらの染料は単独で使用されても良いが、併用して用いても良い。併用して用いる染料としては特に限定されるものではないが、上記アゾ染料の他、キサンテン系、アントラキノン系などの染料を用いることが好ましい。キサンテン構造を有する色材の具体例としては、Ｃ．Ｉ．アシッドレッド　５２、９２、９４、２８９等が挙げられる。インク中の染料濃度は、青色インク、赤色インクともに０．１〜１０重量％が好ましい。より好ましくは０．１〜６重量％が好ましい。
【００４２】
写真画質プリンタのインクとしては、ハイライト部分の粒状感を軽減するために、フォトインク（淡インク）と呼ばれる、染料濃度の低いインクと、通常のインクとが併用される場合があるが、フォトインクとしては、０．１〜２重量％、通常濃度のインクとしては２〜６重量％が好ましく使用される。
【００４３】
・インクの物性；
インクの物性に関しては、青色インク、赤色インクともにインクジェット適性の観点から、コントロールすることが望ましい。インクの表面張力は２０〜５０ｍＮ／ｍに、インクの粘度は１〜５ｍＰａ・ｓに、インクのｐＨはの範囲が好ましい。
【００４４】
・溶媒；
水と混合して使用される水溶性有機溶剤としては、従来からインクジェットに使用される水溶性有機溶媒であれば使用することができる。
【００４５】
特に青色インクの水溶性有機溶剤としてはグリセリン、２−ピロリドン、エチレングリコール、トリエタノールアミンは、本発明における青色インク用の染料の溶解性、対インクジェット吐出特性、インクの保存性等において、優れた性能を示す。
【００４６】
中でも２−ピロリドンやトリエタノールアミンは、染料の会合防止性の観点で特に優れており、使用することが望ましい。
【００４７】
上記した様な水溶性有機溶剤のインク中における含有量は、一般的にはインク全重量の３〜５０重量％の範囲とし、好ましくは３〜３０重量％の範囲とする。
【００４８】
・界面活性剤；
表面張力の調整のための界面活性剤としては公知の物が広く使用できる。
【００４９】
例えば、脂肪酸塩類、高級アルコール酸エステル塩、アルキルベンゼンスルホン酸塩類及び高級アルコールリン酸エステル塩等のアニオン界面活性剤；脂肪族アミン塩類及び第４級アンモニウム塩類等のカチオン界面活性剤；高級アルコールエチレンオキサイド付加物、アルキルフェノールエチレンオキサイド付加物、脂肪族エチレンオキサイド付加物、多価アルコール脂肪族エステルエチレンオキサイド付加物、脂肪族アミドエチレンオキサイド付加物、高級アルキルアミンエチレンオキサイド付加物、ポリプロピレングリコールエチレンオキサイド付加物、多価アルコールの脂肪酸エステル及びアルカノールアミンの脂肪酸アミド類等の非イオン性界面活性剤；アミノ酸型、ベタイン型等の両性界面活性剤等が用いられる。
【００５０】
特に制限はないが、より好ましくは高級アルコールのエチレンオキサイド付加物、アルキルフェノールのエチレンオキサイド付加物、エチレンオキサイド−プロピレンオキサイド共重合体、アセチレングリコールのエチレンオキサイドの付加物等の非イオン性界面活性剤を用いる。更に、前記エチレンオキサイド付加物の付加モル数は４〜２０の範囲が好ましい。
【００５１】
特に、プリントヘッドとのマッチングや、普通紙への印字特性の観点から、アセチレングリコールのエチレンオキサイドの付加物等の非イオン性界面活性剤を用いることが望ましい。
【００５２】
・記録方法
本発明のインクセットを用いて記録を行うのに好適な記録装置としては、これらのインクが収容されるインク収容部を有する記録ヘッドの室内のインクに、記録信号に対応した熱エネルギーを与え、該エネルギーによりインク液滴を発生させる装置が挙げられる。
【００５３】
図１〜図３に、その主要部である記録ヘッドの構成例を示した。ヘッド１３は、インクを通す溝１４を有するガラス、セラミックス、又はプラスチック板等と、感熱記録に用いられる発熱抵抗体を有する発熱ヘッド１５（図ではヘッドが示されているが、これに限定されるものではない）とを接着して得られる。発熱ヘッド１５は、酸化シリコン等で形成される保護膜１６、アルミニウム電極１７−１及び１７−２、ニクロム等で形成される発熱抵抗体層１８、畜熱層１９、アルミナ等の放熱性のよい基板２０より成っている。インク２１は、吐出オリフィス（微細孔）２２まで満たされており、圧力Ｐによりメニスカス２３を形成している。上記ヘッド１３の電極１７−１及び１７−２にパルス状の電気信号が印加されると、発熱素子基板１５のｎで示される領域（ヒータ）が急速に加熱し、この表面に接しているインク２１に気泡が発生し、その圧力でメニスカス２３が吐出し、インク２１がヘッドのノズル１４を通して吐出し、吐出オリフィス２２よりインク小滴となり、被記録材に向かって飛翔する。図３には、図１に示したヘッドを多数並べたマルチヘッドの一例の外観図を示す。このマルチヘッドは、マルチノズル２６を有するガラス板２７と、図１に説明したものと同じような発熱ヘッド２８を接着して作られている。
【００５４】
図４に、このヘッドを組み込んだインクジェット記録装置の１例を示した。図４において、６１はワイピング部材としてのブレードであり、その一端は、ブレード保持部材によって保持されて、固定端となりカンチレバーの形態をなす。ブレード６１は、記録ヘッドによる記録領域に隣接した位置に配設され、また、図４に示した例の場合は、記録ヘッドの移動経路中に突出した形態で保持される。６２はキャップであり、ブレード６１に隣接するホームポジションに配設され、記録ヘッドの移動方向と垂直な方向に移動して、吐出面と当接しキャッピングを行う構成を具える。更に、図４中の６３は、ブレード６１に隣接して設けられるインク吸収体であり、ブレード６１と同様、記録ヘッドの移動経路中に突出した形態で保持される。
【００５５】
上記ブレード６１、キャップ６２、吸収体６３によって吐出回復部６４が構成され、ブレード６１及び吸収体６３によってインク吐出口面の水分、塵やほこり等の除去が行われる。
【００５６】
６５は、吐出エネルギー発生手段を有し、吐出口を配した吐出口面に対向する被記録材にインクを吐出して記録を行う記録ヘッド、６６は、記録ヘッド６５を搭載して記録ヘッド６５の移動を行うためのキャリッジである。キャリッジ６６はガイド軸６７と摺動可能に係合し、キャリッジ６６の一部はモータ６８（不図示）によって駆動されるベルト６９と接続している。これにより、キャリッジ６６はガイド軸６７に沿った移動が可能となり、記録ヘッド６５による記録領域及びその隣接した領域の移動が可能となる。
【００５７】
５１は、被記録材を挿入するための給紙部、５２は不図示のモータにより駆動される紙送りローラである。これらの構成によって記録ヘッドの吐出口面と対向する位置へ被記録材が給紙され、記録が進行するにつれて、排紙ローラ５３を配した排紙部へ排紙される。
【００５８】
上記構成において、記録ヘッド６５が記録終了等でホームポジションに戻る際、ヘッド回復部６４のキャップ６２は記録ヘッド６５の移動経路から退避しているが、ブレード６１は移動経路中に突出している。この結果、記録ヘッド６５の吐出口面がワイピングされる。尚、キャップ６２が記録ヘッド６５の吐出面に当接してキャッピングを行う場合、キャップ６２は記録ヘッドの移動経路中へ突出するように移動する。
【００５９】
記録ヘッド６５がホームポジションから記録開始位置へ移動する場合、キャップ６２及びブレード６１は上記したワイピング時の位置と同一の位置にある。この結果、この移動においても、記録ヘッド６５の吐出口面はワイピングされる。上記した記録ヘッドのホームポジションへの移動は、記録終了時や吐出回復時ばかりでなく、記録ヘッドが記録のために記録領域を移動する間に所定の間隔で記録領域に隣接したホームポジションへ移動し、この移動に伴って、上記ワイピングが行われる。
【００６０】
図５は、ヘッドにインク供給部材、例えば、チューブを介して供給されるインクを収容したインクカートリッジ４５の一例を示す断面図である。ここで４０は供給用インクを収納したインク収容部、例えば、インク袋であり、その先端にはゴム製の栓４２が設けられている。この栓４２に針（不図示）を挿入することにより、インク袋４０中のインクをヘッドに供給可能にできる。４４は廃インクを受容するインク吸収体である。
【００６１】
本発明で使用されるインクジェット記録装置としては、上記の如きヘッドとインクカートリッジとが別体となったものに限らず、図６に示すようにそれらが一体になったものも好適に用いられる。図６において、７０は記録ユニットであって、この中にはインクを収容したインク収容部、例えば、インク吸収体が収納されており、かかるインク吸収体中のインクが複数のオリフィスを有するヘッド部７１からインク滴として吐出される構成になっている。７２は記録ユニット内部を大気に連通させるための大気連通口である。この記録ユニット７０は、図４で示す記録ヘッド６５に代えて用いられるものであって、キャリッジ６６に対して着脱自在になっている。
【００６２】
次に、本発明に好適に使用できる記録装置及び記録ヘッドの他の具体例について説明する。図７は、本発明に好適な吐出時に気泡を大気と連通する吐出方式の液体吐出ヘッドとしての液体吐出ヘッド、及び、この液体吐出ヘッドを用いる液体吐出装置としてのインクジェットプリンタの一例の要部を示す概略斜視図である。図７に示したインクジェットプリンタは、ケーシング１００８内に、長手方向に沿って設けられる被記録材としての用紙１０２８を、図７に示す矢印Ｐで示す方向に間欠的に搬送するための搬送装置１０３０と、該搬送装置１０３０による用紙１０２８の搬送方向Ｐに略直交する方向Ｓに略平行に、ガイド軸１０１４に沿って往復運動せしめられる記録部１０１０と、記録部１０１０を往復運動させるための駆動手段としての移動駆動部１００６とを含んで構成されている。
【００６３】
上記搬送装置１０３０は、互いに略平行に対向配置されている一対のローラユニット１０２２ａ及び１０２２ｂと、一対のローラユニット１０２４ａ及び１０２４ｂと、これらの各ローラユニットを駆動させるための駆動部１０２０とを備えている。かかる構成により、搬送装置１０３０の駆動部１０２０が作動状態とされると、用紙１０２８が、夫々のローラユニット１０２２ａ及び１０２２ｂと、ローラユニット１０２４ａ及び１０２４ｂにより狭持されて、図７に示す矢印Ｐ方向に間欠送りで搬送されることとなる。
【００６４】
また、移動駆動部１００６は、所定の間隔をもって対向配置される回転軸に配されるプーリ１０２６ａ及び１０２６ｂに巻きかけられるベルト１０１６と、ローラユニット１０２２ａ及び１０２２ｂに略平行に配置され、且つ、記録部１０１０のキャリッジ部材１０１０ａに連結されるベルト１０１６を、順方向及び逆方向に駆動させるためのモータ１０１８とを含んで構成されている。
【００６５】
そして、モータ１０１８が作動状態とされてベルト１０１６が図７の矢印Ｒ方向に回転したとき、記録部１０１０のキャリッジ部材１０１０ａは、図７の矢印Ｓ方向に所定の移動量だけ移動される。また、モータ１０１８が作動状態とされてベルト１０１６が図７の矢印Ｒ方向とは逆方向に回転したとき、記録部１０１０のキャリッジ部材１０１０ａは、図７の矢印Ｓ方向とは反対の方向に所定の移動量だけ移動されることとなる。更に、この移動駆動部１００６の一端部には、キャリッジ部材１０１０ａのホームポジションとなる位置に、記録部１０１０の吐出回復処理を行うための回復ユニット１０２６が、記録部１０１０のインク吐出口配列に対向して設けられている。
【００６６】
記録部１０１０には、インクジェットカートリッジ（以下、単にカートリッジと記述する場合がある）１０１２Ｙ、１０１２Ｍ、１０１２Ｃ及び１０１２Ｂが、各色用毎に、例えば、イエロー、マゼンタ、シアン及びブラック用毎に、キャリッジ部材１０１０ａに対して夫々着脱自在に備えられている。
【００６７】
図８に、上述のインクジェット記録装置に搭載可能なインクジェットカートリッジの一例を示した。本例におけるカートリッジ１０１２は、シリアルタイプのものであり、インクジェット記録ヘッド１００と、インク等の液体を収容するための液体タンク１００１とで主要部が構成されている。インクジェット記録ヘッド１００は、液体を吐出するための多数の吐出口８３２が形成されており、インク等の液体は、液体タンク１００１から図示しない液体供給通路を介して液体吐出ヘッド１００の共通液室（図９参照）へと導かれるようになっている。図８に示したカートリッジ１０１２は、インクジェット記録ヘッド１００と液体タンク１００１とを一体的に形成し、必要に応じて液体タンク１００１内に液体を補給できるようにしたものであるが、この液体吐出ヘッド１００に対し、液体タンク１００１を交換可能に連結した構造を採用するようにしてもよい。
【００６８】
以下に、上記したような構成のインクジェットプリンタに搭載され得る液体吐出ヘッドの具体例を、更に詳しく説明する。
【００６９】
図９は、本発明の基本的な形態を示す液体吐出ヘッドの要部を模式的に示す概略斜視図であり、図１０〜図１３は、図９に示した液体吐出ヘッドの吐出口形状を示す正面図である。尚、電気熱変換素子を駆動するための電気的な配線等は省略している。
【００７０】
本例の液体吐出ヘッドにおいては、例えば、図９に示されるような、ガラス、セラミックス、プラスチック或いは金属等からなる基板９３４が用いられる。このような基板の材質は、本質的なものではなく、流路構成部材の一部として機能し、インク吐出エネルギー発生素子、及び後述する液流路、吐出口を形成する材料層の支持体として機能し得るものであれば、特に限定されるものではない。以下に、Ｓｉ基板（ウエハ）を用いた場合で説明する。吐出口は、レーザー光による形成方法の他、例えば、後述するオリフィスプレート（吐出口プレート）９３５を感光性樹脂として、ＭＰＡ（Ｍｉｒｒｏｒ　Ｐｒｏｊｅｃｔｉｏｎ　Ａｌｉｎｅｒ）等の露光装置により形成することもできる。
【００７１】
図９において、９３４は、電気熱変換素子（以下、ヒータと記述する場合がある）９３１及び共通液室部としての長溝状の貫通口からなるインク供給口９３３を備える基板であり、インク供給口９３３の長手方向の両側に、熱エネルギー発生手段であるヒータ９３１が夫々１列ずつ千鳥状に、例えば、電気熱変換素子（ヒータ）の間隔が３００ｄｐｉで配列されている。この基板９３４上には、インク流路を形成するためのインク流路壁９３６が設けられている。このインク流路壁９３６には、更に、吐出口８３２を備える吐出口プレート９３５が設けられている。
【００７２】
ここで、図９においては、インク流路壁９３６と吐出口プレート９３５とは、別部材として示されているが、このインク流路壁９３６を、例えば、スピンコート等の手法によって基板９３４上に形成することにより、インク流路壁９３６と吐出口プレート９３５とを同一部材として同時に形成することも可能である。本例では、更に、吐出口面（上面）９３５ａ側は、撥水処理が施されている。
【００７３】
本例では、先に説明した図７の矢印Ｓ方向に走査しながら記録を行うシリアルタイプのヘッドを用い、例えば、１２００ｄｐｉで記録を行う。駆動周波数は１０ｋＨｚであり、一つの吐出口では、最短時間間隔１００μｓ毎に吐出を行うことになる。また、ヘッドの実例寸法の一例としては、例えば、図１０に示すように、隣接するノズルを流体的に隔離する隔壁９３６ａは、幅Ｗ＝１４μｍである。図中の１３３７は発泡室である。また、図１３に示すように、インク流路壁９３６により形成される発泡室１３３７は、Ｎ１（発泡室の幅寸法）＝３３μｍ、Ｎ２（発泡室の長さ寸法）＝３５μｍである。ヒータ９３１のサイズは３０μｍ×３０μｍで、ヒータ抵抗値は５３Ωであり、駆動電圧は１０．３Ｖである。また、インク流路壁９３６及び隔壁９３６ａの高さは１２μｍで、吐出口プレート９３５の厚さは１１μｍのものが使用できる。
【００７４】
図９に示した、吐出口８３２を含む吐出口プレート９３５に設けられた吐出口部９４０の断面のうち、インクの吐出方向（オリフィスプレート９３５の厚み方向）に交差する方向で切断してみた断面の形状は、図１１に示したように、概略星形となっており、鈍角の角を有する６つの起部８３２ａと、これら起部８３２ａの間に交互に配され、且つ、鋭角の角を有する６つの伏部８３２ｂとから概略構成されている。即ち、吐出口の中心Ｏから局所的に離れた領域としての伏部８３２ｂをその頂部、この領域に隣接する吐出口の中心Ｏから局所的に近い領域としての起部８３２ａをその基部として、図９に示すオリフィスプレートの厚み方向（液体の吐出方向）に、６つの溝１１４１が形成されている（図１１参照）。
【００７５】
本例においては、吐出口部９４０は、例えば、その厚み方向に交差する方向で切断した断面が、一辺２７μｍの二つの正三角形を６０度回転させた状態で組み合わせた形状となっており、図１１に示すＴ１は８μｍである。起部８３２ａの角度はすべて１２０度であり、伏部８３２ｂの角度はすべて６０度である。従って、吐出口の中心Ｏと、互いに隣接する溝の中心部（溝の頂部と、この頂部に隣接する２つの基部とを結んでできる図形の中心（重心））を結んで形成される多角形の重心Ｇとが一致するようになっている。本例の吐出口８３２の開口面積は４００μｍ２であり、溝部の開口面積（溝の頂部と、この頂部に隣接する２つの基部とを結んでできる図形の面積）は、１つあたり約３３μｍ２となっている。図１２は、図１１に示した吐出口の部分のインク付着状態を示す模式図であり、Ｃはインク付着部（濡れインク）を示している。
【００７６】
次に、上述した構成のインクジェット記録ヘッドによる液体の吐出動作について、図１４〜図２１を用いて説明する。図１４〜図２１は、図９〜図１３に記載の液体吐出ヘッドの液体吐出動作を説明するための断面図であり、図１３に示す発泡室１３３７のＸ−Ｘ断面図である。この断面において、図９に示した吐出口部９４０のオリフィスプレート厚み方向の端部は、溝１１４１の頂部１１４１ａとなっている。図１４は、ヒータ上に膜状の気泡が生成した状態を示し、図１５〜図２１は、その後の気泡の状態を経時的に表したものである。即ち、図１５は、図１４の約１μｓ後、図１６は、図１４の約２μｓ後、図１７は、図１４の約３μｓ後、図１８は、図１４の約４μｓ後、図１９は、図１４の約５μｓ後、図２０は、図１４の約６μｓ後、図２１は図１４の約７μｓ後の状態を夫々示している。尚、以下の説明において、「落下」又は「落とし込み」、「落ち込み」とは、所謂、重力方向への落下という意味ではなく、ヘッドの取り付け方向によらず、電気熱変換素子の方向への移動のことを意味している。
【００７７】
先ず、図１４に示すように、記録信号等に基づいたヒータ９３１への通電に伴い、ヒータ９３１上の液流路１３３８内に気泡１０１が生成されると、約２μｓ間に、図１５及び図１６に示すように、気泡１０１は急激に体積膨張して成長する。気泡１０１の最大体積時における高さは吐出口面９３５ａを上回るが、このとき、気泡の圧力は大気圧の数分の１から１０数分の１にまで減少している。
【００７８】
次に、気泡１０１の生成から約２μｓ後の時点で、上述のように、気泡１０１は最大体積から体積減少に転じるが、これとほぼ同時に、メニスカス１０２の形成も始まる。図１７に示すように、このメニスカス１０２もヒータ９３１側への方向に後退、即ち、落下して行く。ここで、本例においては、先に述べたように、吐出口部に複数の溝１１４１を分散させて有していることにより、メニスカス１０２が後退する際に、溝１１４１の部分では、メニスカス１０２の後退方向ＦＭとは反対方向ＦＣに毛管力が作用する。その結果、仮に何らかの原因により気泡１０１の状態に多少のバラツキが認められたとしても、メニスカス１０２の後退時のメニスカス及び主液滴（以下、液体又はインクと記述する場合がある）Ｉａの形状が、吐出口中心に対して略対称形状となるように補正される。
【００７９】
そして、本例では、このメニスカス１０２の落下速度が気泡１０１の収縮速度よりも速いために、図１８に示すように、気泡の生成から約４μｓ後の時点で気泡１０１が吐出口８３２の下面近傍で大気に連通する。このとき、吐出口８３２の中心軸近傍の液体（インク）は、ヒータ９３１に向かって落ち込んで行く。これは、大気に連通する前の気泡１０１の負圧によってヒータ９３１側に引き戻された液体（インク）Ｉａが、気泡１０１が大気と連通した後も慣性でヒータ９３１面方向の速度を保持しているからである。ヒータ９３１側に向かって落ち込んでいった液体（インク）は、図１９に示すように、気泡１０１の生成から約５μｓ後の時点でヒータ９３１の表面に到達し、図２０に示すようにヒータ９３１の表面を覆うように拡がって行く。
【００８０】
このようにヒータ９３１の表面を覆うように拡がった液体は、ヒータ９３１の表面に沿った水平方向のベクトルを有するが、ヒータ９３１の表面に交差する、例えば、垂直方向のベクトルは消滅し、ヒータ９３１の表面上に留まろうとし、それよりも上側の液体、即ち、吐出方向の速度ベクトルを保つ液体を下方向に引っ張ることになる。その後、ヒータ９３１の表面に拡がった液体と上側の液体（主液滴）との間の液体Ｉｂが細くなってゆき、図２１に示すように、気泡１０１の生成から約７μｓ後の時点でヒータ９３１の表面の中央で液体Ｉｂが切断され、吐出方向の速度ベクトルを保つ主液滴Ｉａと、ヒータ９３１の表面上に拡がった液体Ｉｃとに分離される。このように、分離の位置は、液流路１３３８内部、より好ましくは、吐出口８３２よりも電気熱変換素子（ヒータ）９３１側が望ましい。
【００８１】
主液滴Ｉａは、吐出方向に偏りがなく、吐出ヨレすることなく、吐出口８３２の中央部分から吐出され、被記録材の被記録面の所定位置に着弾される。また、ヒータ９３１の表面上に拡がった液体Ｉｃは、従来であれば、主液滴の後続としてサテライト滴となって飛翔するものであるが、ヒータ９３１の表面上に留まり、吐出されない。このように、サテライト滴の吐出を抑制することができるため、サテライト滴の吐出により発生し易いスプラッシュを防止することができ、霧状に浮遊するミストにより被記録材の被記録面が汚れるのを確実に防止することができる。尚、図１８〜２１において、Ｉｄは、溝部に付着したインク（溝内のインク）を、また、Ｉｅは、液流路内に残存しているインクを表している。
【００８２】
上記で説明したように、本例の液体吐出ヘッドでは、気泡が最大体積に成長した後の体積減少段階で液体を吐出する際に、吐出口の中心に対して分散した複数の溝により、吐出時の主液滴の方向を安定化させることができる。その結果、吐出方向のヨレのない、着弾精度の高い液体吐出ヘッドを提供することができる。また、高い駆動周波数での発泡ばらつきに対しても吐出を安定して行うことができることにより、高速高精細印字を実現することができる。
【００８３】
特に、気泡の体積減少段階で、この気泡を初めて大気と連通させることで液体を吐出することにより、気泡を大気に連通させて液滴を吐出する際に発生するミストを防止できるので、所謂、突然不吐の要因となる、吐出口面に液滴が付着する状態を抑制することもできる。また、本発明に好適に使用できる、吐出時に気泡を大気と連通する吐出方式の記録ヘッドの他の実施態様としては、例えば、日本特許登録第２７８３６４７号に記載のように、所謂エッジシュータータイプが挙げられる。
【００８４】
・記録メディア；
本発明に用い得る被記録媒体としては、インクを付着して記録を行う被記録媒体であればいずれのものでも使用することができる。
【００８５】
本発明は、染料や顔料などの色材をインク受容層内の多孔質構造を形成する微粒子に吸着させて、少なくともこの吸着した微粒子から画像が形成される被記録媒体に適用され、インクジェット法を利用する場合に特に好適である。このようなインクジェット用の被記録媒体としては支持体上のインク受容層に形成された空隙によりインクを吸収するいわゆる吸収タイプであることが好ましい。吸収タイプのインク受容層は、微粒子を主体とし、必要に応じて、バインダーやその他の添加剤を含有する多孔質層として構成される。微粒子の例としては、シリカ、クレー、タルク、炭酸カルシウム、カオリン、アルミナあるいはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。バインダーとして好適に使用されているものには水溶性高分子やラテックスを挙げることができる。例えば、ポリビニルアルコールまたはその変性体、澱粉またはその変性体、ゼラチンまたはその変性体、アラビアゴム、カルボキシメチルセルロース、ヒドロキシエチルセルロース、ヒドロキシプロオイルメチルセルロースなどのセルロース誘導体、ＳＢＲラテックス、ＮＢＲラテックス、メチルメタクリレート−ブタジエン共重合体ラテックス、官能基変性重合体ラテックス、エチレン酢酸ビニル共重合体などのビニル系共重合体ラテックス、ポリビニルピロリドン、無水マレイン酸またはその共重合体、アクリル酸エステル共重合体などが使用され、必要に応じて２種以上を組み合せて用いることができる。その他、添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤などが使用される。
【００８６】
特に、本発明に好適に用い得る被記録媒体は、上述の微粒子として、平均粒子径が１μｍ以下の微粒子を主体として、インク受容層を形成したものが好ましい。上記の微粒子として、特に好ましいものは、例えばシリカまたは酸化アルミニウム微粒子等が挙げられる。シリカ微粒子として好ましいものは、コロイダルシリカに代表されるシリカ微粒子である。コロイダルシリカ自体も市場より入手可能なものであるが、特に好ましいものとして、例えば特許第２８０３１３４号、同２８８１８４７号公報に掲載されたものを挙げることができる。酸化アルミ微粒子として好ましいものとしては、アルミナ水和物微粒子を挙げることができる。このようなアルミナ系顔料の一つとして下記一般式（ＩＶ）により表されるアルミナ水和物を好適なものとして挙げることができる。
【００８７】
【外１７】
2004123912.tif 000015
【００８８】
上記式（ＶＩ）中、ｎは１、２または３の整数のいずれかを表し、ｍは０〜１０、好ましくは０〜５の値を表す。但し、ｍとｎは同時には０にはならない。ｍＨ２Ｏは、多くの場合ｍＨ２Ｏ結晶格子の形成に関与しない脱離可能な水相をも表すものである為、ｍは整数または整数でない値を取ることもできる。またこの種の材料を加熱するとｍは０の値に達することがありうる。アルミナ水和物は一般的には、米国特許第４２４２２７１号、米国特許第４２０２８７０号に記載されているようなアルミニウムアルコキシドの加水分解やアルミン酸ナトリウムの加水分解のような、また特公昭５７−４４６０５号公報に記載されているアルミン酸ナトリウム等の水溶液に硫酸ナトリウム、塩化アルミニウム等の水溶液を加えて中和を行う方法などの公知の方法で製造されたものを使用したものが好適である。
【００８９】
【実施例】
次に、実施例及び比較例を挙げて本発明をより具体的に説明する。
【００９０】
［実施例１〜３、比較例１〜２］
表１に示すインクセットを用いて、プリント物の評価を行った。
各インクセットに用いたインクは、表２，表３に示す成分を混合し、十分に攪拌して溶解した後、ポアサイズ０．２μｍのミクロフイルター（富士フィルム製）にて加圧濾過し調整した。
【００９１】
プリントは、記録信号に応じた熱エネルギーをインクに付与することによりインクを吐出させるオンデマンド型マルチ記録ヘッドを有するインクジェット記録装置ＢＪＦ−８５０（キヤノン製）を用いて行った。
【００９２】
評価用紙は、無機顔料をコート層に用いた、プロフェッショナルフォトペーパーＰＲ−１０１（商品名；キヤノン（株）社製）を用いた。
【００９３】
プリント物の評価
１．耐ガス堅牢性
上記記録装置にて、青色インク単色の５０％デューティのパッチをプリントし、プリント物を温度４５℃、相対湿度５５％下にて、オゾン濃度３ｐｐｍで２時間、を暴露した。
【００９４】
初期のＯＤに対する残存率によって以下のような評価を行った。
○：残存率８０％以上　非常に良好である
△：残存率５０〜８０％
×：残存率５０％未満　非常に悪い
【００９５】
２．耐光堅牢性
上記記録装置にて、青色インク及び赤色インクが各２０％デューティとなるパッチをプリントし、プリント物に温度２４℃、相対湿度６０％の下にて、キセノンランプ（照度１００ｋｌｘ）を１００時間照射した。初期の色調に対するＣＩＥＬＡＢ色空間表示系におけるΔＥによって以下のような評価を行った。
○：ΔＥ　２０未満　　非常に良好である
△：ΔＥ　２０以上　３０未満
×：ΔＥ　３０以上　　非常に悪い
【００９６】
評価結果を表１に示す。
【００９７】
【表１】
2004123912.tif 000016
【００９８】
【表２】
2004123912.tif 000017
【００９９】
青色インクｄ
フタロシアニン顔料を出発物質として、クロロスルホン化とスルホンアミド化を行った。反応温度や反応時間、原料濃度によって各成分の含有量は異なっているが、得られた染料はいずれも化合物１、２、３の混合物であった。混合物としての染料固形分を染料濃度として、青色インクａと同様の組成で青色インクｆを作成した。
【０１００】
【表３】
2004123912.tif 000018
【０１０１】
【発明の効果】
以上説明したように、本発明によれば、彩度が高く、かつ室内放置及び光による変退色が生じにくい画像が形成可能なインクセットを得ることができる。
【図面の簡単な説明】
【図１】インクジェット記録装置のヘッド部の縦断面図である。
【図２】インクジェット記録装置のヘッド部の横断面図である。
【図３】インクジェット記録装置のヘッド部の外観斜視図である。
【図４】インクジェット記録装置の一例を示す斜視図である。
【図５】インクカートリッジの縦断面図である。
【図６】記録ユニットの斜視図である。
【図７】液体吐出ヘッドを搭載可能なインクジェットプリンタの一例の要部を示す概略斜視図である。
【図８】液体吐出ヘッドを備えたインクジェットカートリッジの一例を示す概略斜視図である。
【図９】液体吐出ヘッドの一例の要部を模式的に示す概略斜視図である。
【図１０】液体吐出ヘッドの一例の一部を抽出した概念図である。
【図１１】図１０に示した吐出口の部分の拡大図である。
【図１２】図１１に示した吐出口の部分のインク付着状態を示す模式図である。
【図１３】図１０における主要部の模式図である。
【図１４】図１３中のＸ−Ｘ矢視断面形状に対応し、図１５〜図２１と共に液体吐出ヘッドの液体吐出動作を経時的に説明するための概略断面図である。
【図１５】図１３中のＸ−Ｘ矢視断面形状に対応し、図１４及び図１６〜図２１と共に液体吐出ヘッドの液体吐出動作を経時的に説明するための概略断面図である。
【図１６】図１３中のＸ−Ｘ矢視断面形状に対応し、図１４、図１５及び図１７〜図２１と共に液体吐出ヘッドの液体吐出動作を経時的に説明するための概略断面図である。
【図１７】図１３中のＸ−Ｘ矢視断面形状に対応し、図１４〜図１６及び図１８〜図２１と共に液体吐出ヘッドの液体吐出動作を経時的に説明するための概略断面図である。
【図１８】図１３中のＸ−Ｘ矢視断面形状に対応し、図１４〜図１７及び図１９〜図２１と共に液体吐出ヘッドの液体吐出動作を経時的に説明するための概略断面図である。
【図１９】図１３中のＸ−Ｘ矢視断面形状に対応し、図１４〜図１８、図２０及び図２１と共に液体吐出ヘッドの液体吐出動作を経時的に説明するための概略断面図である。
【図２０】図１３中のＸ−Ｘ矢視断面形状に対応し、図１４〜図１９及び図２１と共に液体吐出ヘッドの液体吐出動作を経時的に説明するための概略断面図である。
【図２１】図１３中のＸ−Ｘ矢視断面形状に対応し、図１４〜図２０と共に液体吐出ヘッドの液体吐出動作を経時的に説明するための概略断面図である。
【符号の説明】
１３　ヘッド
１４　インク溝
１５　発熱ヘッド
１６　保護膜
１７−１、１７−２　アルミニウム電極
１８　発熱抵抗体層
１９　蓄熱層
２０　基板
２１　インク
２２　吐出オリフィス（微細孔）
２３　メニスカス
２４　インク滴
２５　被記録媒体
２６　マルチノズル
２７　ガラス板
２８　発熱ヘッド
４０　インク袋
４２　栓
４４　インク吸収体
４５　インクカートリッジ
５１　給紙部
５２　紙送りローラ
５３　排紙ローラ
６１　ブレード
６２　キャップ
６３　インク吸収体
６４　吐出回復部
６５　記録ヘッド
６６　キャリッジ
６７　ガイド軸
６８　モータ
６９　ベルト
７０　記録ユニット
７１　ヘッド部
７２　大気連通口
１００　インクジェット記録ヘッド
１０１　気泡
１０２　メニスカス
８３２　吐出口
８３２ａ　起部
８３２ｂ　伏部
９３１　電気熱変換素子（ヒータ、インク吐出エネルギー発生素子）
９３３　インク供給口（開口部）
９３４　基板
９３５　オリフィスプレート（吐出口プレート）
９３５ａ　吐出口面
９３６　インク流路壁
９３６ａ　隔壁
９４０　吐出口部
１００１　液体タンク
１００６　移動駆動部
１００８　ケーシング
１０１０　記録部
１０１０ａ　キャリッジ部材
１０１２　カートリッジ
１０１２Ｙ，Ｍ，Ｃ，Ｂ　インクジェットカートリッジ
１０１４　ガイド軸
１０１６　ベルト
１０１８　モータ
１０２０　駆動部
１０２２ａ、１０２２ｂ　ローラユニット
１０２４ａ、１０２４ｂ　ローラユニット
１０２６　回復ユニット
１０２６ａ、１０２６ｂ　プーリ
１０２８　用紙
１０３０　搬送装置
１１４１　溝
１１４１ａ　頂部
１３３７　発泡室
１３３８　液流路
Ｃ　濡れインク
ＦＭ　メニスカス後退方向
ＦＣ　メニスカス後退方向と反対方向
Ｇ　重心
Ｉ　インク
Ｉａ　主液滴（液体，インク）
Ｉｂ，Ｉｃ　液体（インク）
Ｉｄ　溝部に付着したインク（溝内のインク）
Ｉｅ　液流路内に残存しているインク
Ｌ　室（インク供給口）から吐出口に向かう線
Ｎ１　発泡室の幅寸法
Ｎ２　発泡室の長さ寸法
Ｏ　吐出口の中心
Ｐ　用紙の搬送方向
Ｒ　ベルトの回転方向
Ｓ　用紙の搬送方向と略直交する方向
Ｔ１　吐出口伏部寸法
Ｗ　隔壁の幅寸法
【図１】
2004123912.tif 000024
【図２】
2004123912.tif 000025
【図３】
2004123912.tif 000026
【図４】
2004123912.tif 000027
【図５】
2004123912.tif 000028
【図６】
2004123912.tif 000029
【図７】
2004123912.tif 000030
【図８】
2004123912.tif 000031
【図９】
2004123912.tif 000032
【図１０】
2004123912.tif 000033
【図１１】
2004123912.tif 000034
【図１２】
2004123912.tif 000035
【図１３】
2004123912.tif 000036
【図１４】
2004123912.tif 000037
【図１５】
2004123912.tif 000038
【図１６】
2004123912.tif 000039
【図１７】
2004123912.tif 000040
【図１８】
2004123912.tif 000041
【図１９】
2004123912.tif 000042
【図２０】
2004123912.tif 000043
【図２１】
2004123912.tif 000044